(57)【要約】      （修正有）【課題】本発明の目的は、大型の荷物運搬車及び荷物運搬三輪車であってもトラックへの積み降ろしが容易に行え、駐輪場所も狭くてすむように、荷台部分を折畳むことができる折畳み式荷物運搬車及び折畳み式荷物運搬三輪車を提供すること。【解決手段】左右一組のサイドフレーム、固定フレーム、結合部及び左右一組の車輪とからなり、結合部は、左支持部が右連結部と、右支持部が左連結部と、夫々横連結部で連結されると共に、前記２組の横連結部を略中央で交差させ結合軸で回動自在に軸着され、前記左右一組の連結部を夫々一組のサイドフレームの下枠に回転自在に固定し、前記左右一組の支持部を夫々一組のサイドフレームに設けられた支持受部に係止することにより荷台を形成する一方で、結合軸を中心に左右一組の支持部が接近するように回転して左右一組のサイドフレームが車幅方向に移動して荷台を折畳むことができる折畳み式荷物運搬車を提供する。【選択図】図３
2018161961.tif 000002
【特許請求の範囲】
【請求項１】
左右一組のサイドフレーム、固定フレーム、結合部及び左右一組の車輪とからなる荷物運搬車において、結合部は、左支持部が右連結部と、右支持部が左連結部と、夫々横連結部で連結されると共に、前記２組の横連結部を略中央で交差させ結合軸で回動自在に軸着され、前記左右一組の連結部を夫々一組のサイドフレームの下枠に回転自在に固定し、前記左右一組の支持部を夫々一組のサイドフレームに設けられた支持受部に係止することにより荷台を形成する一方で、結合軸を中心に左右一組の支持部が接近するように回転して左右一組のサイドフレームが車幅方向に移動して荷台が折畳まれることを特徴とする折畳み式荷物運搬車。  
【請求項２】
一方のサイドフレームの縦枠に回動自在に装着し、他方のサイドフレームに脱着自在に固定可能な固定フレームを装着したことを特徴とする請求項１に記載の折畳み式荷物運搬車。
【請求項３】
左右一組のサイドフレームの少なくとも一方の支持受部近傍に荷台板の一端を回動自在に装着したことを特徴とする請求項１又は２に記載の折畳み式荷物運搬車
【請求項４】
左右一組の支持部に荷台板の一端を回動自在に装着したことを特徴とする請求項１又は２に記載の折畳み式荷物運搬車
【請求項５】
結合軸の上方に荷台板を支持する荷台受部を設けたことを特徴とする請求項１乃至４に記載の折畳み式荷物運搬車。
【請求項６】
請求項１乃至５に記載の荷物運搬車とメインフレームと駆動輪とからなり、結合部とメインフレームとが前後連結部で回動自在に連結したことを特徴とする折畳み式荷物運搬三輪車。
【発明の詳細な説明】
【技術分野】
【０００１】
本発明は、フロント部分が折畳みできる折畳み式荷物運搬車及びそれを用いた折畳み三輪車に関するものである。
【背景技術】
【０００２】
近年、インターネット等を利用した通信販売が急成長するのに伴い、また、高齢化による宅配サービス等で、自動車による小口の集配業務が急増している。一方、人口が密集する都市部ではモータリゼーションによって自動車利用が増加し、道路が渋滞すると共に駐車スペースの確保も難しく、顧客の店頭や住宅の玄関先の路上駐車は違法駐車となり、荷物の集配に問題が生じている。
【０００３】
これに伴い、宅配業者においては、渋滞を気にせずに狭い道も走行でき、トラック通行禁止区域に直接乗り入れたり、住宅や店先の小スペースにも駐輪できる自転車の利用が増加している。この場合、自転車でリアカーをけん引する方法が主として用いられているが、自転車と分離されたリアカーをけん引することは、一般の自転車に比べて走行が不安定になる。特開昭５２−７９４５２に記載のように、後部を二輪として荷台を設置する後二輪式三輪車も以前よりあるが、旋回時の運転操作が不安定になるため、前二輪式の三輪車も多数開発されている。例えば、フロント部分に大きな荷台を設けた前二輪式のフロント荷台三輪車が特開２００７−３３１５１５に開示されており、これによるとフロントに重量物を積んでも安定した走行ができる。
【先行技術文献】
【特許文献】
【０００４】
【特許文献１】特開昭５２−７９４５２
【特許文献２】特開２００７−３３１５１５
【発明の概要】
【発明が解決しようとする課題】
【０００５】
上記特許文献２に記載されたようなフロント荷台三輪車を利用して、複数の拠点の駐車場でトラックから当該三輪車に積み替えて、繁華街、住宅密集地を回れば、短期間で大量の荷物を１人で運ぶことができて効果的である。しかし、当該三輪車は通常の二輪自転車に比べて車幅が広いため、拠点で荷物を三輪車に積み替えるために、三輪車をトラックに積んで移動させることは、荷台面積を狭くして実質的に荷物の積載量が減ると共に、三輪車のトラックへの積み降ろしを１人で行うことは困難である。また、業務終了後に駐輪する場合にも二輪自転車に比べて場所を取るという問題がある。
【０００６】
そこで、本発明の目的は、大型の荷物運搬三輪車であってもトラックへの積み降ろしが容易に行え、業務終了後に駐輪場所も狭くてすむように、荷台部分を簡単に折畳むことができる折畳み式荷物運搬車及びそれを用いた折畳み式荷物運搬三輪車を提供することにある。
【課題を解決するための手段】
【０００７】
上記課題を解決するために、本発明では、折畳み式荷物運搬車の荷台を設けた左右一組のフレーム部を車幅方向に移動可能に結合することで、簡単に折畳んで車幅を狭くするようにした。    
【０００８】
すなわち請求項１の発明の折畳み式荷物運搬車は、左右一組のサイドフレーム、固定フレーム、結合部及び左右一組の車輪とからなる荷物運搬車において、結合部は、左支持部が右連結部と、右支持部が左連結部と、夫々横連結部で連結されると共に、前記２組の横連結部を略中央で交差させ結合軸で回動自在に軸着されてなり、前記左右一組の連結部を夫々一組のサイドフレームの下枠に回転自在に固定し、前記左右一組の支持部を夫々一組のサイドフレームに設けられた支持受部に係止することにより荷台を形成する一方で、結合軸を中心に左右一組の支持部が接近するように回転して左右一組のサイドフレームが車幅方向に移動して荷台が折畳まれることを特徴とする。  
【０００９】
請求項２の発明では、請求項１に記載の折畳み式荷物運搬車の一方のサイドフレームの縦枠に回動自在に装着し、他方のサイドフレームに脱着自在に固定可能な固定フレームを装着したことを特徴とする。
【００１０】
請求項３の発明では、請求項１又は２に記載の折畳み式荷物運搬車の左右一組のサイドフレームの少なくとも一方の支持受部近傍に荷台板の一端を回動自在に装着したことを特徴とする。
【００１１】
請求項４の発明では、請求項１又は２に記載の折畳み式荷物運搬車の左右一組の支持部に荷台板の一端を回動自在に装着したことを特徴とする。
【００１２】
請求項５の発明では、請求項１乃至４に記載の折畳み式荷物運搬車において、結合軸の上方に荷台板を支持する荷台受部を設けたことを特徴とする。
【００１３】
請求項６の発明では、請求項１乃至５に記載の荷物運搬車とメインフレームと駆動輪とからなり、結合部とメインフレームとが前後連結部で回動自在に連結した折畳み式荷物運搬三輪車であることを特徴とする。  
【発明の効果】
【００１４】
以上説明したように、請求項１の発明では、左右一組のサイドフレーム、固定フレーム、結合部及び左右一組の車輪とからなる荷物運搬車は、当該結合部において、左支持部が右連結部と、右支持部が左連結部と、夫々横連結部で連結されると共に、前記２組の横連結部を略中央で交差させ結合軸で回動自在に軸着され、前記左右一組の連結部を夫々一組のサイドフレームの下枠に回転自在に固定しているので、前記左右一組の支持部を夫々一組のサイドフレームに設けられた支持受部に係止することにより荷台を形成した形で維持できる一方で、支持部を支持受部から外して結合軸を中心に左右一組の支持部が接近するように回転させることで、左右一組のサイドフレームが車幅方向に移動して荷台を簡単に折畳むことができる。
【００１５】
請求項２の発明では、請求項１に記載の折畳み式荷物運搬車において、一方のサイドフレームの縦枠に回動自在に装着し、他方のサイドフレームに脱着自在に固定可能に固定フレームを装着することで、荷物運搬車を折り畳まれないように使用状態に固定することができ、固定フレームのサイドフレームとの固定を解除することで、車幅方向にサイドフレームを移動させることができて荷物運搬車を折り畳むことができる。
【００１６】
請求項３の発明では、請求項１又は２に記載の折畳み式荷物運搬車において、左右一組のサイドフレームの少なくとも一方の支持受部近傍に荷台板の一端を回動自在に装着したことにより、荷台板をサイドフレームに沿ってコンパクトに収納でき、簡単確実に荷台板を設置できる。
【００１７】
請求項４の発明では、請求項１又は２に記載の折畳み式荷物運搬車において、左右一組の支持部に荷台板の一端を回動自在に装着したことにより、請求項３と同様に荷台板をサイドフレームに沿ってコンパクトに収納でき、簡単確実に荷台板を設置できる。
【００１８】
請求項５の発明では、請求項１乃至４に記載の折畳み式荷物運搬車において、結合軸の上方に荷台板を支持する荷台受部を設けたことにより、荷台板を車幅方向の中央部分で支持することができるので、重量物を積んでも十分な強度を有し、荷台板が大きく撓んだり変形したりし難い構造を形成でき、確実に荷物を積載することができる。
【図面の簡単な説明】
【００１９】
【図１】折畳み式荷物運搬三輪車の斜視図である。
【図２】荷台部を折り畳んだ荷物運搬三輪車の側面図である。
【図３】斜め前方から見た荷物運搬三輪車の斜視図である。
【図４】斜め後方から見た荷物運搬三輪車の斜視図である。
【図５】斜め後方から見た荷台部を折り畳んだ荷物運搬三輪車の斜視図である。
【図６】斜め前方から見た荷台部を折り畳んだ荷物運搬三輪車の斜視図である。
【図７】荷台部の斜視図である。
【図８】結合部の斜視図である。
【図９】斜め前方から見た荷台部を折り畳んだ別の荷物運搬三輪車の斜視図である。
【図１０】図９の荷物運搬三輪車の荷台部を折り畳み始める状態を示す斜め後方から見た斜視図である。
【図１１】さらに別の荷物運搬三輪車の荷台部を折り畳む途中の状態を示す斜め後方から見た斜視図である。
【図１２】荷台板結合具の斜視図である。
【図１３】荷台板結合具を荷台板にねじで蝶着し荷台を固定状態とした斜視図である。
【図１４】荷台板結合具を荷台板にねじで蝶着し荷台を折り畳み状態とした斜視図である。
【発明を実施するための形態】
【００２０】
以下、本発明の実施の形態について、図を参照して説明する。なお、本実施形態は一例に過ぎず、これに限定されるものではない。
【００２１】
図１、３、４は、本発明の荷台部を使用状態にした荷物運搬三輪車を示し、図２、５、６は、荷台部を折り畳んだ状態の荷物運搬三輪車を示しており、前側の荷台部（荷物運搬車）Ａ、後ろ側の本体部Ｂとからなる。なお、駆動装置や制動装置等は通常の自転車、電動アシスト自転車、原動機付自転車等で用いられている装置を用いる事ができるので、その一部については図示せず説明も省略した。  
【００２２】
本体部Ｂは、メインフレーム６、駆動輪７からなり、前後連結部８（図１０に示す）を介して荷台部Ａと回動自在に連結され、荷台部Ａのサイドフレーム１に設けた一組のハンドル９１、ペダル９２、サドル９３等により自転車と同様に走行することができる。なお、図９、１０に示す別の荷物運搬三輪車のようにハンドルを設置せず固定フレーム２の上枠を握ったり、図１１に示すさらに別の荷物運搬三輪車のようにハンドルを固定フレームの上枠と兼用して、折り畳み時に中央で分割するようにしてもよい。
【００２３】
ブレーキ（制動装置）については図示しないが、前輪４及び又は駆動輪（後輪）に通常使用されるものが装着され、駆動装置としては、通常のチェーンやギアを介して駆動されるものでよく。電動アシスト装置や内燃機関、電動機が装着されてもいてもよい。
【００２４】
図７は、荷台部（荷物運搬車）Ａの主要部分を示した斜視図（構造を分かり易く示すために前輪、荷台板を省略している）を示しており、左右一組のサイドフレーム１、固定フレーム２、結合部３とからなり、左右のサイドフレーム１がその間に結合部３を介して折畳み自在に結合される。結合部３は荷台部Ａのベースとなる部分で、左右一組のサイドフレーム１と連結する連結部３２や本体部Ｂと連結する前後連結部８が設置されている。
【００２５】
図８は結合部３だけを抜き出して示した斜視図で、いわゆるパンタグラフと呼ばれる構造であり、左支持部３１Ｌと右連結部３２Ｒ及び右支持部３１Ｒと左連結部３２Ｌがそれぞれ一対の横連結部３３で連結される。横連結部３３の略中央に貫通孔を設けると共に交差させ、重ねた貫通孔の外側に交差結合部３５１を重ねてネジで結合軸３５に回動自在に螺合する。なお、支持部３１と、連結部３２、一対の横連結部３３からなる左右2つの枠体は、一方が他方の内側に入り込んで交差するように形成され、例えば金属パイプの溶接によって形成される。
【００２６】
本実施形態では、連結部３２は前後方向にパイプ状になっており、パイプが前後の横連結部３３と連結し、パイプの一部が回動自在にサイドフレーム１の下枠１５と結合している。なお、連結部３２はパイプである必要はなく、図１１に示すように、特に形状や構造は限定しないが、横連結部３３と下枠１５が直接回動自在に連結する連結部３２でもよい。
【００２７】
本実施形態では、結合軸３５から上方に突設する荷台受部支持片３４２と荷台板５を受ける荷台受上部３４１とからなる荷台受部３４が設けられており、荷台部の車幅中央で荷台板５を支持している。これによって、荷台板上に重量物を積んでも十分な強度を有し、荷台板５が大きく撓んだり変形したりし難い構造を形成できるが、例えば、荷台板５を水平状態にした際に、荷台板５が下方に撓まないような工夫をすれば、特に必須ということではない。
【００２８】
例えば、荷台受部３４がなくても、図１２に示す荷台板結合具を図１３及び図１４に示すように一対の荷台板５の前後部の端部にねじで蝶着することで、荷台を固定状態（図１３）と折り畳み状態（図１４）にすることができ、実用上十分な荷物を積むことができる。
【００２９】
荷台部Ａを形成するサイドフレーム１は、基本的に左右対称形のものが一組用意され、上枠１２、縦枠１３、中枠１４、下枠１５、補助枠１６から構成され、本実施形態では、中枠１４に並列して支持部受部１１が装着され、支持部３１を下から支持している。なお、支持部受部１１は中枠１４に並列する必要はなく、前後の縦枠１３に設置される構造であってもよい。
一方、前記説明したように、サイドフレーム１と結合部３を連結する連結部３２は横連結部３３を介して逆方向のサイドフレーム１の下枠１５に連結金具により回転自在に連結される。
【００３０】
これによって、左右のサイドフレーム１が結合部３を介して連結され、前記の通り、支持部３１が支持部受部１１に載置支持されることによって荷台部Ａが構成されると共に、支持部３１を支持受部１１から外して結合軸３５を中心に左右一組の支持部３１が接近するように上方に向かって回転させることで、左右一組のサイドフレーム１が車幅方向に移動して荷台部Ａを簡単に折畳むことができる。
【００３１】
左右一対の荷台板５の一端側は、左右一対の支持部３１に回動自在に軸着され、荷台板５の他端側は前記荷台板結合具で蝶着されているので、荷台部Ａのセッティングと折り畳みに伴って、荷台板５も自動的にセッティングと折り畳みが行える。
【００３２】
なお、荷台板５は前記のように支持部３１に軸着せず、その手段は問わないがサイドフレーム１の中枠１４に回動自在に固定しても良い。この場合は、荷台板５のセッティングと折り畳みを自動的にはできないが、折り畳んだ際に荷台板５が上方に高く突出せず、サイドフレーム１の枠内にコンパクトに収めることができる。  
【００３３】
前輪４をサイドフレーム１に固定するために、中枠１４と下枠１５の間には、前輪車軸を固定するための車軸固定部４１が設けられる。なお、前輪４を固定することができれば、形状や取付位置等は限定されない。図１、図２に記載の車軸固定部４１は、下枠１５から略Ｌ字状に突設した形状をしており、左側と右側は対称形に形成される。
【００３４】
左右の支持部３１をそれぞれ左右の支持部受部１１で下から支持することにより、荷台受部３４に載置した荷台板５に積載した荷物の加重で左右の支持部３１が支持部受部１１に圧着されて、荷台部Ａを使用状態に固定できる。一方、左右の支持部３１を支持部受部１１から外して（支持部３１を上方に持ち上げて）、左右のサイドフレーム１を幅方向に近接するように畳むと、左右のサイドフレーム１の下枠１５に連結された左右の連結部３２と横連結部３３で連結された左右の支持部３１が、それぞれパンタグラフ構造により連動してさらに上方に持ち上がり荷台部Ａを折畳むことができる。    
【００３５】
固定フレーム３は、一方の縦桟３５が左サイドフレーム１の縦枠１３にヒンジ３２（図３では上下２か所）を介して回動すると共に、他方の縦桟３５が右サイドフレーム２の縦枠１３との間で係止部３１を設けており、固定フレーム３と右サイドフレーム１とを係止部３１で係止させることで、支持部３１を支持部受部１１に圧接するだけでなく、荷台部Ａを使用状態でより確実に固定することができる。また、荷台部Ａを折り畳む際には、ヒンジ３２でサイドフレーム１の内側に回動させることにより、荷台部Ａを折り畳むことができる。なお、ハンドルの所で一部説明したが、図１１に示すように固定フレーム３をヒンジで回動させるのではなく、中央部分で折り畳むようにしても便利である。
【００３６】
以上、説明したように、本発明の折畳み式荷物運搬車が左右一組のサイドフレーム、固定フレーム、結合部及び左右一組の車輪とからなるものであれば、細部の構造に限定されるものではない。例えば、荷台に積んだ荷物が落下しないように、固定フレームとは対称位置となる前面側に、簡易的な網を設けたり別途フレームを設けても良い。また、小さな荷物でも落下しない様に、サイドフレーム、固定フレーム部分に板材や布・樹脂等のシート材を貼っても良い。
【００３７】
上記実施形態では、折畳み式荷物運搬車の後部に結合部とメインフレームとを前後連結部で回動自在に連結することで、自転車型の折畳み式荷物運搬三輪車について説明したが、荷台部と本体部が前後で連結していればどのような形状のものでも良いし、内燃機関や電動機を設けた自動三輪車でも良い。また、駆動輪（後輪）が無く、前の荷台部だけのリアカーのような折畳み式荷物運搬車だけでももちろん良い。  
【産業上の利用可能性】
【００３８】
本発明による折畳み式荷物運搬車及び折畳み式荷物運搬三輪車によれば、荷台部を簡単な操作で折り畳むことができ、トラックの荷台に積んだり、狭い場所に駐輪することも容易にできるので、トラックによる荷物運搬の補助車両として有用である。
【符号の説明】
【００３９】
Ａ．荷台部（荷物運搬車）
Ｂ．本体部
１  サイドフレーム
１１．支持部受部
１５．下枠  
１８．連結金具
２．固定フレーム  
３．結合部  
３１．支持部  
３２．連結部  
３３．横連結部
３４．荷台受部
３５．結合軸  
４．前輪  
５．荷台板
６．メインフレーム
７．駆動輪（後輪）
８．前後連結部    
【図１】
2018161961.tif 000003
【図２】
2018161961.tif 000004
【図３】
2018161961.tif 000005
【図４】
2018161961.tif 000006
【図５】
2018161961.tif 000007
【図６】
2018161961.tif 000008
【図７】
2018161961.tif 000009
【図８】
2018161961.tif 000010
【図９】
2018161961.tif 000011
【図１０】
2018161961.tif 000012
【図１１】
2018161961.tif 000013
【図１２】
2018161961.tif 000014
【図１３】
2018161961.tif 000015
【図１４】
2018161961.tif 000016
【手続補正書】
【提出日】平成30年3月24日(2018.3.24)
【手続補正１】
【補正対象書類名】特許請求の範囲
【補正対象項目名】全文
【補正方法】変更
【補正の内容】
【特許請求の範囲】
【請求項１】
左右一組のサイドフレーム、固定フレーム、結合部及び左右一組の車輪とからなる荷物運搬車において、結合部は、左支持部が右連結部と、右支持部が左連結部と、夫々横連結部で連結されると共に、前記２組の横連結部を略中央で交差させ前側の横連結部と後側の横連結部との間を結合する結合軸で回動自在に軸着され、前記左右一組の連結部を夫々一組のサイドフレームの下枠に回転自在に固定し、前記左右一組の支持部を夫々一組のサイドフレームに設けられた支持受部に係止することにより荷台を形成する一方で、左右一組の支持部を支持受部から外して結合軸を中心に左右一組の支持部が接近するように回転して左右一組のサイドフレームが車幅方向に移動して荷台が折畳まれることを特徴とする折畳み式荷物運搬車。  
【請求項２】
一方のサイドフレームの縦枠に回動自在に装着し、他方のサイドフレームに脱着自在に固定可能な固定フレームを装着したことを特徴とする請求項１に記載の折畳み式荷物運搬車。
【請求項３】
左右一組のサイドフレームの少なくとも一方の支持受部近傍に荷台板の一端を回動自在に装着したことを特徴とする請求項１又は２に記載の折畳み式荷物運搬車
【請求項４】
左右一組の支持部に荷台板の一端を回動自在に装着したことを特徴とする請求項１又は２に記載の折畳み式荷物運搬車
【請求項５】
結合軸の上方に荷台板を支持する荷台受部を設けたことを特徴とする請求項１乃至４に記載の折畳み式荷物運搬車。
【請求項６】
請求項１乃至５に記載の荷物運搬車とメインフレームと駆動輪とからなり、結合部とメインフレームとが前後連結部で回動自在に連結したことを特徴とする折畳み式荷物運搬三輪車。
【手続補正２】
【補正対象書類名】明細書
【補正対象項目名】０００８
【補正方法】変更
【補正の内容】
【０００８】
すなわち請求項１の発明の折畳み式荷物運搬車は、左右一組のサイドフレーム、固定フレーム、結合部及び左右一組の車輪とからなる荷物運搬車において、結合部は、左支持部が右連結部と、右支持部が左連結部と、夫々横連結部で連結されると共に、前記２組の横連結部を略中央で交差させ前側の横連結部と後側の横連結部との間を結合する結合軸で回動自在に軸着され、前記左右一組の連結部を夫々一組のサイドフレームの下枠に回転自在に固定し、前記左右一組の支持部を夫々一組のサイドフレームに設けられた支持受部に係止することにより荷台を形成する一方で、左右一組の支持部を支持受部から外して結合軸を中心に左右一組の支持部が接近するように回転して左右一組のサイドフレームが車幅方向に移動して荷台が折畳まれることを特徴とする。      
【手続補正３】
【補正対象書類名】明細書
【補正対象項目名】００１４
【補正方法】変更
【補正の内容】
【００１４】
以上説明したように、請求項１の発明では、左右一組のサイドフレーム、固定フレーム、結合部及び左右一組の車輪とからなる荷物運搬車は、当該結合部において、左支持部が右連結部と、右支持部が左連結部と、夫々横連結部で連結されると共に、前記２組の横連結部を略中央で交差させ結合軸で回動自在に軸着され、前記左右一組の連結部を夫々一組のサイドフレームの下枠に回転自在に固定しているので、前記左右一組の支持部を夫々一組のサイドフレームに設けられた支持受部に係止することにより荷台を形成した形で維持できる一方で、支持部を支持受部から外して結合軸を中心に左右一組の支持部が接近するように回転させることで、左右一組のサイドフレームが車幅方向に移動して荷台を簡単に折畳むことができる。
また、２組の横連結部を略中央で交差させ前側の横連結部と後側の横連結部との間を結合する結合軸で回動自在に軸着されているので、折り畳み作業を繰り返しても結合部は強固に維持される。